(57)【要約】【課題】受皿上に吐出された泡状の吐出物や或いは高粘度の液状の吐出物を受皿から零すことなく容易に掬い取ることができる受皿付きポンプを提案する。【解決手段】容器体１００に装着する固定吸引部Ａと、固定吸引部Ａに対して上方付勢状態で上下動可能に装着した可動吐出部Ｂとを備え、可動吐出部Ｂの上端部は、中央部に吐出口５０を開口した受皿４５を構成してなり、可動吐出部Ｂの上下動により、装着した容器体１００内の液を固定吸引部Ａ内に吸い上げてそのまま液状に、又は起泡機構を介して泡状に、吐出口５０より受皿４５上に吐出する受皿付きポンプであって、内側面に誘導湾曲面部ｆを備えた、受皿４５上の吐出物の掬いあげを補助する板状のガイド壁５３を、受皿４５の縁部に起立した。【選択図】図１
2014008999.tif 000002
【特許請求の範囲】
【請求項１】
容器体（１００）に装着する固定吸引部（Ａ）と、固定吸引部（Ａ）に対して上方付勢状態で上下動可能に装着した可動吐出部（Ｂ）とを備え、可動吐出部（Ｂ）の上端部は、中央部に吐出口（５０）を開口した受皿（４５）を構成してなり、可動吐出部（Ｂ）の上下動により、装着した容器体（１００）内の液を固定吸引部（Ａ）内に吸い上げてそのまま液状に、又は起泡機構を介して泡状に、吐出口（５０）より受皿（４５）上に吐出する受皿付きポンプであって、内側面に誘導湾曲面部（ｆ）を備えた、受皿（４５）上の吐出物の掬いあげを補助する板状のガイド壁（５３）を、受皿（４５）の縁部に起立したことを特徴とする受皿付きポンプ。
【請求項２】
ガイド壁（５３）が、外方へ凸の縦断面円弧状をなす誘導湾曲面部（ｆ）を備えている請求項１に記載の受皿付きポンプ。
【請求項３】
ガイド壁（５３）を薄肉の合成樹脂製とすることで、押圧変形後の弾性復元が可能に形成した請求項１又は請求項２に記載の受皿付きポンプ。
【請求項４】
ガイド壁（５３）の基端部にヒンジ（５７）を設けて、受皿（４５）上への折り畳みを可能に形成した請求項１乃至請求項３のいずれか１項に記載の受皿付きポンプ。
【請求項５】
受皿（４５）と一体にガイド壁（５３）を形成した請求項１乃至請求項４のいずれか１項に記載の受皿付きポンプ。
【請求項６】
受皿（４５）の縁部に穿設した嵌合孔（５４）に嵌合させた固定基部（５３ａ）をガイド壁（５３）の下端部より垂設し、ガイド壁（５３）の外面下端部より突設したフック（５８）を受皿（４５）の縁部に係脱可能に係合し、ガイド壁（５３）の下部にヒンジ（５７）を設けて受皿（４５）上への折り畳みを可能に構成し、受皿（４５）と別体にガイド壁（５３）を構成した請求項１乃至請求項３のいずれか１項に記載の受皿付きポンプ。
【発明の詳細な説明】
【技術分野】
【０００１】
本発明は受皿付きポンプに関する。
【背景技術】
【０００２】
容器体に装着固定するシリンダ等を備えた固定吸引部と、固定吸引部に対して上方付勢状態で上下動可能に装着した、ピストン等を備えた可動吐出部とを備え、可動吐出部の上下動により、容器体内の液を固定吸引部内に吸い上げて、可動吐出部の吐出口よりそのまま液状に吐出するポンプが知られており、或いは起泡機構内蔵し、可動吐出部の上下動により、容器体内の液を固定吸引部内に吸い上げて起泡させ、泡として可動吐出部の吐出口より吐出するポンプが知られている。また、上記起泡吐出機構を備え、可動吐出部の上端を、中央部に吐出口を開口した受皿として構成しているものが知られている。（例えば、特許文献１参照）
【０００３】
上記受皿付きポンプは、例えばひげ剃り等に使用する泡を得るもので、口頸部を起立する容器体と、口頸部に嵌合させて容器体内へ垂下させたシリンダと、シリンダ内へ嵌合させた筒状ピストンを下部に有して、上方付勢されて起立するステムと、ステムの上端部へ嵌合させた脚筒上端から上方へフランジ状壁を突出する受皿と、フランジ状頂板の外周部から垂設した周壁を容器体口頸部外面へ嵌合させるとともに、該フランジ状頂板のフランジ孔内に上記ステム及び脚筒が上下動自在に挿通させた閉塞部材とを備えている。
【先行技術文献】
【特許文献】
【０００４】
【特許文献１】特許第４１７５４９４号公報
【発明の概要】
【発明が解決しようとする課題】
【０００５】
上記した受皿付きポンプに於ける受皿は中央部が窪んだ皿状で、受皿上に吐出した泡を掬って使用するものであるが、受皿が例えば円形の平皿形態であるため、泡を掬い取る際に、一部を受皿外部へ零してしまという虞があり、効率の良い泡の掬い取りが比較的難しい傾向がある。
【０００６】
本発明は上記した点に鑑みてなされたもので、受皿上に吐出された泡状の吐出物や或いは高粘度の液状の吐出物を受皿から零すことなく容易に掬い取ることができる受皿付きポンプを提案する。また、その掬い取り操作も無理なく円滑に行なえる受皿付きポンプを提案する。さらに、不使用時にはガイド壁を折り畳んでおくことができ、コンパクトな状態での保管が可能な受皿付きポンプを提案する。
【課題を解決するための手段】
【０００７】
第１の手段として、以下の通り構成した。即ち、容器体１００に装着する固定吸引部Ａと、固定吸引部Ａに対して上方付勢状態で上下動可能に装着した可動吐出部Ｂとを備え、可動吐出部Ｂの上端部は、中央部に吐出口５０を開口した受皿４５を構成してなり、可動吐出部Ｂの上下動により、装着した容器体１００内の液を固定吸引部Ａ内に吸い上げてそのまま液状に、又は起泡機構を介して泡状に、吐出口５０より受皿４５上に吐出する受皿付きポンプであって、内側面に誘導湾曲面部ｆを備えた、受皿４５上の吐出物の掬いあげを補助する板状のガイド壁５３を、受皿４５の縁部に起立した。
【０００８】
第２の手段として、以下の通り構成した。即ち、前記第１の手段に於いて、ガイド壁５３が、外方へ凸の縦断面円弧状をなす誘導湾曲面部ｆを備えている。
【０００９】
第３の手段として、以下の通り構成した。即ち、前記第１の手段又は第２の手段に於いて、ガイド壁５３を薄肉の合成樹脂製とすることで、押圧変形後の弾性復元が可能に形成した。
【００１０】
第４の手段として、以下の通り構成した。即ち、前記第１の手段乃至第３の手段のいずれかの手段に於いて、ガイド壁５３の基端部にヒンジ５７を設けて、受皿４５上への折り畳みを可能に形成した。
【００１１】
第５の手段として、以下の通り構成した。即ち、前記第１の手段乃至第４の手段のいずれかの手段に於いて、受皿４５と一体にガイド壁５３を形成した。
【００１２】
第６の手段として、以下の通り構成した。即ち、前記第１の手段乃至第３の手段のいずれかの手段に於いて、受皿４５の縁部に穿設した嵌合孔５４に嵌合させた固定基部５３ａをガイド壁５３の下端部より垂設し、ガイド壁５３の外面下端部より突設したフック５８を受皿４５の縁部に係脱可能に係合し、ガイド壁５３の下部にヒンジ５７を設けて受皿４５上への折り畳みを可能に構成し、受皿４５と別体にガイド壁５３を構成した。
【発明の効果】
【００１３】
本発明の受皿付きポンプは、内側面に誘導湾曲面部ｆを備えた、受皿４５上の吐出物の掬いあげを補助する板状のガイド壁５３を、受皿４５の縁部に起立しているため、受皿４５に吐出した泡状や高粘度の液状の吐出物を、ガイド壁５３上を介して、零すことなく確実に掬い取ることができるという特徴がある。また、ガイド壁５３の構造も簡単でその製造も容易に行える。
【００１４】
ガイド壁５３が、外方へ凸の縦断面円弧状をなす誘導湾曲面部ｆを備えている場合には、受皿４５上に吐出された吐出物の掬い取りの際に、誘導湾曲面部ｆに沿っての指の円滑な移動が可能であり、その掬い取り操作をより円滑とする特徴がある。
【００１５】
ガイド壁５３を薄肉の合成樹脂製とすることで、押圧変形後の弾性復元が可能に形成した場合には、受皿４５上に吐出された吐出物の掬い取りの際に、ガイド壁５３が適度に弾性変形して、その掬い取り操作をより円滑とする特徴がある。
【００１６】
ガイド壁５３の基端部にヒンジ５７を設けて、受皿４５上への折り畳みを可能に形成した場合には、不使用時にはコンパクトな状態での保管が可能であり、上方に突出したガイド壁５３を引っ掛けて容器体１００を倒す等の不都合を極力防止できる。
【００１７】
受皿４５と一体にガイド壁５３を構成した場合には、構成上新たなガイド壁５３が加わったにも拘わらず特別な組み付け操作の増加もなく、従来品と同様の工程での製造が可能であり、容易な製造が可能であるという特徴がある。
【００１８】
受皿４５の縁部に穿設した嵌合孔５４に嵌合させた固定基部５３ａをガイド壁５３の下端部より垂設し、ガイド壁５３の外面下端部より突設したフック５８を受皿４５の縁部に係脱可能に係合し、ガイド壁５３の下部にヒンジ５７を設けて受皿４５上への折り畳みを可能に構成し、受皿４５と別体にガイド壁５３を構成した場合には、フック５８により確実な起立状態を維持することができ、また、不使用時には簡単な操作で折り畳むことによりコンパクトな状態での保管が可能である。
【図面の簡単な説明】
【００１９】
【図１】受皿付きポンプ容器の縦断面図である。（第１実施例）
【図２】吐出ヘッドの平面図である。（第１実施例）
【図３】受皿付きポンプ容器の縦断面図である。（第２実施例）
【図４】吐出ヘッドの平面図である。（第２実施例）
【図５】ガイド壁を折り畳んだ状態の受皿付きポンプ容器の縦断面図である。（第２実施例）
【図６】ガイド壁を折り畳んだ状態の吐出ヘッドの平面図である。（第２実施例）
【発明を実施するための形態】
【００２０】
以下、本発明の実施例の形態を図面を参照して説明する。
【００２１】
図１及び図２は本発明の第１実施例を示し、図中１は受皿付きポンプを示す。尚、説明の便宜上、図１の左方を前部、右方を後部、手前を右側部、奥方を左側部として説明する。以下、も同様である。
【００２２】
受皿付きポンプ１は、容器体１００に装着する固定吸引部Ａと、固定吸引部Ａに対して上方付勢状態で上下動可能に装着した可動吐出部Ｂとを備えている。可動吐出部Ｂの上端部は、後述する如く、中央部に吐出口５０を開口した受皿４５を構成しており、可動吐出部Ｂの上下動により、装着した容器体１００内の液を固定吸引部Ａ内に吸い上げて、吐出口５０より受皿４５上に吐出する。吐出口５０より吐出する吐出物の形態は、固定吸引部Ａ、可動吐出部Ｂの形態により、液状或いは泡状に吐出することができ、これらの固定吸引部Ａ、可動吐出部Ｂの形態は後述する公知形態のものを採用でき、要は可動吐出部Ｂの上下動により、装着した容器体１００内の液を固定吸引部Ａ内に吸い上げ、そのまま液状に、或いは泡状に吐出口５０より受皿上に吐出することが可能なポンプ機能或いはポンプ機能と起泡機能を備えたものであれば良い。尚、吐出物が液状の場合には、比較的高粘度のものが好適である。
【００２３】
装着する容器体１００は、例えば図１に示す如く、筒状の胴部１０１より肩部１０２を介して口頸部１０３を起立したボトル形態のものが好適である。
【００２４】
第１実施例は、吐出物を泡状に吐出する場合であり、その固定吸引部Ａは、装着キャップＡ１と、シリンダ部材Ａ２と、ポペット弁体Ａ３とを備えている。
【００２５】
装着キャップＡ１は、受皿付きポンプ１を容器体１００に固定するためのもので、容器体１００の口頸部１０３外周に嵌合させる周壁１０の上端縁よりフランジ状の頂壁１１を延設し、頂壁１１中央部にガイド筒１２を起立している。
【００２６】
シリンダ部材Ａ２は、上端部を装着キャップＡ１裏面外周部に装着固定させた大径の空気用シリンダ２０の下部に、小径の液用シリンダ２１を同心円状に延設している。液用シリンダ２１は、空気用シリンダ２０の底壁部内周縁に周壁部の上端縁を連結して下方へ垂設し、周壁部の下端縁より中央を開口したテーパ状の底壁部を延設し、底壁部の上面を吸込み弁用の弁座２２として構成している。また、底壁部の中央開口縁より垂下筒部２３を一体に垂設している。更に、液用シリンダ２１内面の底壁部外縁部から周壁部下端部に至る部分に、周方向複数の係止リブ２４を突設している。各係止リブ２４の上下中間部には上向き段部を設けている。
【００２７】
ポペット弁体Ａ３は、下端部外面に、それぞれ液用シリンダ２１の係止リブ２４間に位置させる、周方向複数の係止突部２５を突設しており、液用シリンダ２１内から、後述する可動吐出部ＢのステムＢ２内下部に至る長さを有しており、吸込み弁用の弁座２２と下面が当接する位置から、各係止突部２５が、可動吐出部Ｂを上方付勢させる後述コイルスプリングｓ下面に当接する位置までの上下動が可能に装着している。各係止突部２５の上方は、下部を大径部に上部を小径部に形成しており、小径部の上端にはテーパ筒状に拡開する逆止弁体２６を形成し、この逆止弁体２６と、後述する逆止弁用の弁座３２とで逆止弁Ｖ１を形成している。また、ポペット弁体Ａ３の下端部と吸込み弁用の弁座２２とで吸込み弁Ｖ２を構成している。
【００２８】
可動吐出部Ｂは、固定吸引部Ａに対して上方付勢状態で上下動可能に組み付けしたもので、液用ピストンＢ１と、ステムＢ２と、空気用ピストンＢ３と、吐出ヘッドＢ４と、装着筒部材Ｂ５と、起泡部材Ｂ６とを備えている。
【００２９】
液用ピストンＢ１は、ステムＢ２内下部に嵌着した嵌合筒部３０の下端外周より外方へ上下スカート状の摺動部３１を突設し、摺動部３１を液用シリンダ２１内周に液密摺動可能に嵌合させている。また、嵌合筒部３０の上端部はステムＢ２内の上下方向中間部に於いて突条形態の逆止弁用の弁座３２を形成している。そして、液用ピストンＢ１の嵌合筒部３０下面と各係止リブ２４の上向き段部との間にコイルスプリングｓを介在させて可動吐出部Ｂを常時上方へ付勢させている。
【００３０】
ステムＢ２は、上下端を開口した筒状をなし、液用シリンダ２１に摺動する液用ピストンＢ１を下部外周に突設するとともに、空気用シリンダ２０内を摺動する空気用ピストンＢ３を外周上部に連携させて、液用シリンダ２１内及び空気用シリンダ２０内を上下動可能に装着されている。ステムＢ２内上部には吐出弁用の弁座３５を形成し、該吐出弁用の弁座３５上に載置された玉状の吐出弁体３６とで吐出弁Ｖ３を形成している。また、吐出弁用の弁座３５の下面から逆止弁用の弁座３２の直上までの間に周方向複数の縦突条３７を突設している。更に、外面上下方向中間部にはフランジ状に突設した空気吐出弁用の弁座３８を突設しており、その上方の筒壁外周には周方向複数の縦突条３９を突設している。
【００３１】
空気用ピストンＢ３は、内周縁の筒状弁部４０をステムＢ２外周に小幅の上下動が可能に嵌合させ、筒状弁部４０外周より延設した階段状の隔壁４１を介して、空気用シリンダ２０内周に液密摺動可能に嵌合した上下スカート状の摺動部４２延設している。筒状弁部４０はステムＢ２外周の縦突条３９外面に上下動可能に嵌合させている。また、空気用シリンダ２０の階段状の隔壁４１には外気を導入するための外気導入弁Ｖ４を設けている。外気導入弁Ｖ４は、下降した可動吐出部Ｂが上昇する際に空気用シリンダ２０内が負圧となることで開弁し、外気を導入する。
【００３２】
また、ステムＢ２の外周上端部には、後述する如く、内周下端部に環状凹部４７を凹設した吐出ヘッドＢ４の縦筒４６を嵌合しており、筒状弁部４０はその環状凹部４７内外周面に摺動可能に嵌合させている。また、筒状弁部４０は環状凹部４７の頂面と、空気吐出弁用の弁座３８との間を上下動可能に装着しており、筒状弁部４０の下端部と空気吐出弁用の弁座３８とで空気吐出弁Ｖ５を構成している。そして、ステムＢ２と筒状弁部４０との間に、空気吐出弁Ｖ５から環状凹部４７内に連通し、空気用シリンダ２０内からステムＢ２内へ連通する空気通路ｐを構成する通気路を備えている。この空気吐出弁Ｖ５は、図１に示す可動吐出部Ｂが最上方へ押し上げられている場合には閉塞しており、可動吐出部Ｂを押し下げた際には開弁し、更に押し下げ状態から上方付勢力により上昇する際には閉塞する如く構成している。
【００３３】
吐出ヘッドＢ４は、上面が球面状に窪んだ平皿状の受皿４５を上端に備え、受皿４５裏面中央部より垂設した縦筒４６の内周下端部をステムＢ２外周上端部に嵌着してステムＢ２に装着している。また、縦筒４６の下端部内面には上記した環状凹部４７を凹設しており、環状凹部４７直上の縦筒４６内面には、下端を環状凹部４７の上端に開口し、上端をステムＢ２直上に開口した縦凹溝４８を縦設している。そして、この縦凹溝４８内、環状凹部４７内、ステムＢ２と筒状弁部４０との間とで、空気用シリンダ２０内からステムＢ２内に連通する空気通路ｐを構成している。また、縦筒４６外方の受皿４５裏面から外周壁４９を垂設し、外周壁４９の下端部をガイド筒１２の外周部に垂下している。
【００３４】
また、縦筒４６上端の受皿４５中央部に吐出口５０を開口している。該吐出口５０は、縦筒４６内の上端部に、周方向等間隔に複数縦設した支持用リブ５１により支持された邪魔板５２より中央部を遮蔽され、邪魔板５２周囲に開口する複数の円弧状孔として構成されている。邪魔板５２の下面は中央より外方へ上昇する逆円錐形状に形成されており、吐出口５０への泡の円滑な導入を行なえるように構成している。
【００３５】
本発明では、受皿４５の縁部に、受皿４５上の吐出物の掬いあげを補助する板状のガイド壁５３を起立している。第１実施例では、受皿４５と一体にガイド壁５３を構成した例を示す。このガイド壁５３は、受皿４５前縁部上面に基端部を一体に連結して上方に起立した外方へ凸の円弧板状をなし、内側面に、外方へ凸の縦断面円弧状をなす誘導湾曲面部ｆを備えており、正面視が略四角形状をしている。また、ガイド壁５３は全体的に薄肉の合成樹脂製とすることで、弾性変形が可能に構成している。尚、図示例では、ガイド壁５３が起立状態で維持される如く構成しているが、基端部に直線状のヒンジを設けて受皿４５上への折り畳みを可能に構成することも可能である。
【００３６】
ガイド壁５３の具体的形態は、基本的に受皿４５の縁部より起立し、受皿４５上の吐出物を、内側面に沿って誘導できる形態であれば良く、受皿４５上の吐出物の掬いあげを補助する誘導湾曲面部ｆを内側面に備えた板状をなしていれば良い。その際受皿４５の縁部上面形態を誘導湾曲面部ｆと連続性を持たせる如く調整すると好ましい。誘導湾曲面部ｆは本例の如くガイド壁５３全体に渡って設ける場合に限らず、少なくとも基端部のみに設けても良く、例えば、下部が縦断面円弧状をなし、上部が直線状をなすものであっても良い。その正面視形状は特に限定されないが、その機能上正面視矩形状が好ましく採用される。また、ガイド壁５３の横幅及び高さとして特に限定されないが、例えば、横幅は、その機能上、ガイド壁５３が起立する位置の受皿の縁部と比較的類似する長さの横幅が好ましく、また、高さは、特に、受皿４５に折り畳み可能に構成した場合には受皿４５と同様か或いはそれより短い縦幅が好ましい。また、第１実施例の如く弾力性を備えているものに限らず、剛性のあるものであっても良い。また、第１実施例の如く受皿４５と一体にガイド壁５３を設ける場合に限らず、後述する如く、ガイド壁５３を受皿４５と別体に設けて組み付け装着しても良い。
【００３７】
装着筒部材Ｂ５は、内部に起泡部材Ｂ６を嵌合して、吐出ヘッドＢ４の縦筒４６内に嵌着している。図示例では、縦筒４６内周に嵌着した装着筒部６０の下端より、フランジを介してステムＢ２内上端部に嵌合する垂下筒６２を垂設し、垂下筒６２の下端より中央に連通窓を開口して延設したフランジ状の底板部６３を備え、また、フランジ状の底板部６３下面よりステムＢ２内周に係止筒６４を垂設している。また、フランジの周縁部下面から垂下筒６２の外面を縦断する隙間用リブ６５を周方向複数突設しており、隙間用リブ６５を対応するステムＢ２の上面及び内面に当接して、フランジ及び垂下筒６２とステムＢ２との間に、ステムＢ２上方の縦筒４６内面に開口した空気通路ｐからステムＢ２内に連通する通気路を設けて装着している。そして、この通気路と連通し、ステムＢ２内の液流路と連通する気液混合室Ｒを装着筒部材Ｂ５下方のステムＢ２内に画成している。
【００３８】
起泡部材Ｂ６は、メッシュ７０を張設した筒体７１を一対用意して、メッシュ７０が上端及び下端になる如く装着筒部材Ｂ５の装着筒部６０内に嵌着している。そしてこの起泡部材Ｂ６と、空気用シリンダ２０からの空気と液用シリンダ２１からの液の合流機構により、起泡機構を構成している。尚、要すれば、図１の二点鎖線で示すストッパーＣを着脱可能に装着して、不使用時の可動吐出部Ｂの不用意な押し下げを防止することも可能である。
【００３９】
上記泡吐出器１は、図１の状態から可動吐出部Ｂを押し下げると、空気用ピストンＢ３がステムＢ２に対して相対的に上昇して空気吐出弁Ｖ５が開き、下降する空気用ピストンＢ３により空気用シリンダ２０内の空気が加圧されて空気通路ｐを介して気液混合室Ｒ内に導入される。一方、液用シリンダ２１が下降してポペット弁体Ａ３を吸込み弁用の弁座２２に当接させるまで下降させるとともに、ポペット弁体Ａ３がステムＢ２に対して相対的に上昇して逆止弁Ｖ１が開き、液用シリンダ２１内の加圧液を吐出弁Ｖ３を介して気液混合室Ｒに導入させ、ここで気液を混合する。気液混合室Ｒで混合された気液は起泡部材Ｂ６を通過して発泡し、吐出ヘッドＢ４の吐出口５０から受皿４５上へ吐出される。
【００４０】
吐出ヘッドＢ４の押圧を解除すると、コイルスプリングｓの付勢力により可動吐出部Ｂが上昇し、その際空気用ピストンＢ３がステムＢ２に対して相対的に下降して空気吐出弁Ｖ５が閉じ、空気用シリンダ２０内の負圧化によって外気導入弁Ｖ４が開いて外気が空気用シリンダ２０内に導入される。一方、ステムＢ２の上昇によりポペット弁体Ａ３は、逆止弁Ｖ１と各縦突条３７との摩擦力で上昇し、吸込み弁Ｖ２が開いて負圧化した液用シリンダ２１内に容器体１００内の液が導入され、その際吐出弁Ｖ３は閉じる。ポペット弁体Ａ３はその係止突部２５がコイルスプリングｓの下面に当接するまで上昇するが、その後はステムＢ２に対して、逆止弁体２６が逆止弁用の弁座３２に当接するまで、相対的に下降する。
【００４１】
受皿４５上に吐出された泡状の吐出物は、例えば、指で後方より前方に押し込むようにすくい上げると、ガイド壁５３に沿って上昇し、うまく指上に掬い上げることができる。第１実施例では、ガイド壁５３が弾力性を備えているため、指の押し上げによりガイド壁５３が適度に弾性変形し、指の押し上げもより円滑にできるという特徴がある。
【００４２】
図３乃至図６は、第２実施例を示し、本例ではガイド壁５３を別体に設けた例を示す。本例では第１実施例と同様の起泡機構を備えた泡吐出型のポンプであり、ガイド壁５３を含めた受皿４５の構成のみが相違するため、その他の構成は同符号を付して説明を省略する。
【００４３】
本例では受皿４５の前部に嵌合孔５４を設けている。嵌合孔５４の下端には前縁よりフランジ状の底板５５を突設している。また、ガイド壁５３は、嵌合孔５４に嵌合させた固定基部５３ａを下端部より垂設して上方へ起立した外方へ凸の縦断面円弧板状で、正面視略四角形状をなしており、内側面に、外方へ凸の縦断面円弧状をなし、正面視略四角形状の誘導湾曲面部ｆを備えている。固定基部５３ａの内側面下部には係合突条５６を突設しており、嵌合孔５４の後縁に係合させて抜け出しの防止を図っている。また、ガイド壁５３下端部の固定基部５３ａ上方位置にはヒンジ５７を横設しており、図５及び図６に示す如く、受皿４５上への折り畳みが可能に構成している。更に、ガイド壁５３のヒンジ５７直上位置の外面下端部よりフック５８を突設しており、該フック５８を受皿４５の前縁部の係止突条５９に係脱可能に係合している。
【００４４】
本例に於けるガイド壁５３は薄肉ではなく、比較的剛性を備えたものであるが、薄肉に形成して弾性変形が可能に構成しても良い。本例の場合のポンプ操作は第１実施例と同様である。また、受皿４５上に吐出された泡状の吐出物は、例えば、指で後方より前方に押し込むようにすくい上げると、ガイド壁５３に沿って上昇し、うまく指上に掬い上げることができる。また、不使用時にはフック５８の係合を外し、図５、６に示す如く受皿４５上にガイド壁５３を折り畳むことで、コンパクトな保管が可能となる。
【００４５】
尚、上記した各例では、ポンプが起泡機構を備えて泡を吐出する形態のものを示したが、これに限らず、装着した容器体１００内の液を固定吸引部Ａに吸い上げた後、可動吐出部Ｂの吐出口５０からそのままの状態で液状に吐出するポンプ機構を備えたものであっても良い。これらのポンプ機構は従来公知の機構を採用できる。また、上記した受皿付きポンプ１の各部材は基本的に合成樹脂製であり、その他必要に応じて、エラストマー、金属等を採用することも可能である。
【符号の説明】
【００４６】
１：受皿付きポンプ
Ａ：固定吸引部
Ａ１：装着キャップ
１０…周壁、１１…頂壁、１２…ガイド筒
Ａ２：シリンダ部材
２０…空気用シリンダ、２１…液用シリンダ、２２…吸込み弁用の弁座、
２３…垂下筒部、２４…係止リブ
Ａ３：ポペット弁体
２５…係止突部、２６…逆止弁体
Ｂ：可動吐出部
Ｂ１：液用ピストン
３０…嵌合筒部、３１…摺動部、３２…逆止弁用の弁座
Ｂ２：ステム
３５…吐出弁用の弁座、３６…吐出弁体、３７…縦突条、３８…空気吐出弁用の弁座
３９…縦突条
Ｂ３：空気用ピストン
４０…筒状弁部、４１…隔壁、４２…摺動部
Ｂ４：吐出ヘッド
４５…受皿、４６…縦筒、４７…環状凹部、４８…縦凹溝、４９…外周壁、
５０…吐出孔、５１…支持用リブ、５２…邪魔板、５３…ガイド壁、５３ａ…固定基部、５４…嵌合孔、５５…底板、５６…係合突条、５７…ヒンジ、５８…フック、
５９…係止突条
Ｂ５：装着筒部材
６０…装着筒部、６２…垂下筒、６３…フランジ状の底板部、６４…係止筒、
６５…隙間用リブ
Ｂ６：起泡部材
７０…メッシュ、７１…筒体
Ｃ：ストッパー
Ｖ１：逆止弁
Ｖ２：吸込み弁
Ｖ３：吐出弁
Ｖ４：外気導入弁
Ｖ５：空気吐出弁
ｓ：コイルスプリング
ｐ：空気通路
ｆ：誘導湾曲面部
Ｒ：気液混合室
１００：容器体
１０１…胴部、１０２…肩部、１０３…口頸部
【図１】
2014008999.tif 000003
【図２】
2014008999.tif 000004
【図３】
2014008999.tif 000005
【図４】
2014008999.tif 000006
【図５】
2014008999.tif 000007
【図６】
2014008999.tif 000008